(57)【要約】【課題】  特定波長の光線を遮断する機能を有すると共に、容器リサイクルに貢献しうる合成樹脂製容器を提供する。【解決手段】  口部と前記口部の下端に設けられたサポートリングと前記サポートリングに続く肩部と胴部及び底部とを備えた合成樹脂製容器本体と、前記容器本体の底部壁面を外側から覆う遮光性を有する平板状の被覆部材と、前記容器本体の口部下端から前記被覆部材の一部が重なり合う位置まで連続して表面を被覆する筒状に形成された遮光性を有するシュリンクラベルとから構成され、かつ、遮光性を有するキャップが、前記容器本体の口部に装着されており、かつ、前記の被覆部材が、前記容器本体の底部壁面に重ね合わせられると共に、前記のシュリンクラベルで被覆されて保持されるように構成されている。【選択図】      図１
2006082851.tif 000002
【特許請求の範囲】
【請求項１】
口部と前記口部の下端に設けられたサポートリングと前記サポートリングに続く肩部と胴部及び底部とを備えた合成樹脂製容器本体と、
前記容器本体の底部壁面を外側から覆う遮光性を有する平板状の被覆部材と、
前記容器本体の口部下端から前記被覆部材の一部が重なり合う位置まで連続して表面を被覆する筒状に形成された遮光性を有するシュリンクラベルとから構成され、
かつ、遮光性を有するキャップが、前記容器本体の口部に装着されており、
かつ、前記の被覆部材が、前記容器本体の底部壁面に重ね合わせられると共に、前記のシュリンクラベルで被覆されて保持されており、
容器全体に遮光性を付与することを特徴とする合成樹脂製容器。
【請求項２】
前記の合成樹脂製容器全体の光透過率が、波長２２０〜４００ｎｍの紫外線と、波長４００〜６００ｎｍの可視光線の領域にわたって、１０％以下である遮光性を有することを特徴とする請求項１記載の合成樹脂製容器。
【請求項３】
前記の合成樹脂製容器本体が、前記の被覆部材と接する底部壁面部に、前記の被覆部材を嵌合するための凹部を設けていることを特徴とする請求項１または請求項２に記載の合成樹脂製容器。
【請求項４】
前記の被覆部材が、単体プラスチック板または積層プラスチック板または合成紙を含む積層プラスチック板からなることを特徴とする請求項１〜請求項３のいずれかに記載の合成樹脂製容器。
【請求項５】
前記の被覆部材が、光反射性の白色の外表面を有することを特徴とする請求項１〜請求項４のいずれかに記載の合成樹脂製容器。
【請求項６】
前記の被覆部材が、光吸収性の黒色の裏面を有することを特徴とする請求項１〜請求項５のいずれかに記載の合成樹脂製容器。
【請求項７】
前記の合成樹脂製容器本体の材質が、ポリエチレンテレフタレートであることを特徴とする請求項１〜請求項６のいずれかに記載の合成樹脂製容器。
【請求項８】
前記の合成樹脂製容器本体の材質が、紫外光を吸収する光吸収剤を含有することを特徴とする請求項１〜請求項７のいずれかに記載の合成樹脂製容器。
【発明の詳細な説明】
【技術分野】
【０００１】
本発明は、合成樹脂製容器に関する。更に詳しくは、特定波長の光線を遮断する機能を有すると共に、容器リサイクルに貢献しうる合成樹脂製容器に関する。
【背景技術】
【０００２】
従来、乳飲料、ビタミン飲料、ジュ−ス、炭酸飲料、水、お茶等の飲料品、オイル、調味料等の食品、医薬品、化粧品等の種々の液体を充填包装するためにプラスチック製ボトルが使用されている。
中でも、ポリエチレンテレフタレート（以下、「ＰＥＴ」という）樹脂に代表される芳香族ポリエステルからなるプラスチック製ボトルは、軽量で、機械的強度、耐熱性、ガス遮断性、耐薬品性、保香性、衛生性等に優れるため、広範に使用されている。
このようなプラスチック製ボトルは、通常、無色透明であり、金属容器やガラス容器と比べて紫外光線や可視光線を透過しやすく、乳飲料等を充填する場合、光線による内容物の変質を防止するために遮光性を必要とする。
【０００３】
一方、近年、環境面において、ＰＥＴボトル等のリサイクルを円滑に行うことが求められてきており、リサイクル法の制定に伴い、ＰＥＴボトルリサイクル推進協議会が平成１３年に改訂したリサイクル法「第二種指定ＰＥＴボトルの自主設計ガイドライン」によれば、ボトル本体の基準は、着色については、「無色透明とする。」とし、材料については、「原則として、ＰＥＴ単体とする。例外として、ＰＥＴボトル用に混合使用する異樹脂およびＰＥＴ共重合物等については、推進協議会が定めた［材料評価基準］に則し評価を行い、衛生安全性が確保され再利用上問題のない範囲内で使用することができる。」という基準を満たすことを要求している。
【０００４】
また、上記のプラスチック製ボトルには、その胴部外周面に、商品名、製造業者名、内容物、デザインを表示する目的で、印刷を施した熱収縮性のシュリンクフィルムで包装することが一般的に行われている。
シュリンクの包装方法としては、例えば、円筒状のシュリンクフィルムに少し余裕を持たせて一次包装した後、熱風、スチーム等によって当該シュリンクフィルムをボトルの外周面に熱収縮させる方法が知られている。
前記のシュリンクフィルム付きボトルは、シュリンクフィルムとボトルとを接着剤等により直接接着していないため、シュリンクフィルムとボトルとを完全に分別することができるものである。
このため、「第二種指定ＰＥＴボトルの自主設計ガイドライン」の要求事項の一つである、「ラベルは物理的に剥離でき、再生処理時に接着剤がボトルに残らないこと」という基準を満たすため、リサイクル適性の観点からも今後益々需要の拡大が期待される。
【０００５】
上記課題である「光線による内容物の変質を防止する」という課題を解決するために、例えば、近紫外可視光線を遮断し、ソーダライムシリカ系の緑色に着色したガラス瓶用のガラスを提供する技術が提案されている（例えば、特許文献１参照）。上記のように、ガラス容器の場合には、緑色に着色することにより容器に遮光性を付与することができる。
また、プラスチック容器に遮光性を付与するために、従来では容器自体を着色するやり方が一般的に用いられた時期もあった。
また、上記課題である「光線による内容物の変質を防止する」という課題を解決するために、着色のシュリンクラベルを用いることによって、遮光性の機能を付加したシュリンクラベルで容器全体を包装することも行われている。
例えば、シュリンクラベルの構成が、熱収縮性合成樹脂フィルムの印刷層の上に、全面ベタ刷りの白色インキ層と全面ベタ刷りの金色インキ層を順次重ねた構成とすることで、シュリンクラベルに遮光性を付与する技術が提案されている（例えば、特許文献２参照）。
【特許文献１】特公平８−２５７７０号公報
【特許文献２】特開２００１−２１２２号公報
【０００６】
しかしながら、着色された飲料用ボトルでは、ボトルの色が不透明であり、「ＰＥＴボトルの自主設計ガイドライン」によれば、ボトル本体の着色は、無色透明であることを満たすことを要求しており、上記の基準を満たすことが困難であるという問題があった。
また、着色された飲料用ボトルを使用後にリサイクルする場合、再生ポリエステル樹脂が着色により不透明となり再生ポリエステル樹脂の用途が限定されてしまい、ＰＥＴボトル等のリサイクルを円滑に行うことが困難になるという問題がある。
【０００７】
また、ボトルの底部の形状が、自立性および耐圧性を得る目的で、通常いわゆるペタロイド状（花弁状）や上底等の形状であるため、特許文献２等に記載するシュリンクラベルで飲料用ボトルを被覆すると、ボトルの肩部、胴部は全面を被覆できるものの、底部の中央の谷部を完全に被覆できず、この結果、店舗内ではガラス製陳列棚の上で底部からの底部からの光線の透過を完全に遮断することが困難であり、屋外では日光に晒されてしまい、乳飲料や食用油等の内容物の成分劣化を生じてしまうという問題点があった。
【発明の開示】
【発明が解決しようとする課題】
【０００８】
本発明の目的は、プラスチック製ボトル自体を着色せず、異樹脂を混入せずに成形しても、容器全体に遮光性を付与すると共に、再生樹脂の用途が広範となり、リサイクル性に優れる合成樹脂製容器を提供することである。
【課題を解決するための手段】
【０００９】
そこで、上記課題を解決すべく、本発明の合成樹脂製容器は、口部と前記口部の下端に設けられたサポートリングと前記サポートリングに続く肩部と胴部及び底部とを備えた合成樹脂製容器本体と、前記容器本体の底部壁面を外側から覆う遮光性を有する平板状の被覆部材と、前記容器本体の口部下端から前記被覆部材の一部が重なり合う位置まで連続して表面を被覆する筒状に形成された遮光性を有するシュリンクラベルとから構成され、かつ、遮光性を有するキャップが、前記容器本体の口部に装着されており、かつ、前記の被覆部材が、前記容器本体の底部壁面に重ね合わせられると共に、前記のシュリンクラベルで被覆されて保持されており、容器全体に遮光性を付与することを特徴とする。
【００１０】
また、上記における合成樹脂製容器全体の光透過率が、波長２２０〜４００ｎｍの紫外線と、波長４００〜６００ｎｍの可視光線の領域にわたって、１０％以下である遮光性を有することを特徴とする。
【００１１】
また、本発明の合成樹脂製容器において、前記の合成樹脂製容器本体が、前記の被覆部材と接する底部壁面部に、前記の被覆部材を嵌合するための凹部を設けていることを特徴とする。
【００１２】
また、本発明の合成樹脂製容器において、前記の被覆部材が、単体プラスチック板または積層プラスチック板または合成紙を含む積層プラスチック板からなることを特徴とする。
【００１３】
また、本発明の合成樹脂製容器において、前記の被覆部材が、光反射性の白色の外表面を有することを特徴とする。
【００１４】
また、本発明の合成樹脂製容器において、前記の被覆部材が、光吸収性の黒色の裏面を有することを特徴とする。
【００１５】
また、本発明の合成樹脂製容器において、前記の合成樹脂製容器本体の材質が、ポリエチレンテレフタレートであることを特徴とする。
【００１６】
また、本発明の合成樹脂製容器において、前記の合成樹脂製容器本体の材質が、紫外光を吸収する光吸収剤を含有することを特徴とする。
【発明の効果】
【００１７】
本発明の合成樹脂製容器は、プラスチック製ボトルの胴部や口部だけでなく、従来のシュリンクラベルで被覆できなかったボトル底部の遮光性を付与することが可能であるため、容器全体で特定波長の光線を遮断する機能を有することができる。このため、本発明の合成樹脂製容器に乳飲料、ビタミン飲料、ジュ−ス、炭酸飲料、水、お茶等の飲料品、オイル、調味料等の食品、医薬品、化粧品等の種々の液体を充填すると、内容物が外部からの光線により品質劣化することなく、保存性に優れるという利点を有する。
更に、本発明の合成樹脂製容器は、プラスチック製ボトルに異樹脂等を混合せずにＰＥＴ単体で成形し、ボトル回収の際、プラスチック製ボトルをラベルから物理的に剥離可能であるため、再生ＰＥＴ樹脂の用途が広範となる点から容器リサイクルに貢献することができるという利点を有する。
【発明を実施するための最良の形態】
【００１８】
上記の本発明に係る合成樹脂製容器について、以下に図面を参照しながら、実施の形態を詳述する。図１（ａ）は本発明の一実施例による合成樹脂製容器を示す一部断面図、（ｂ）は底面図であり、図２は図１の合成樹脂製容器の口部を示す断面図であり、図３は、本発明の一実施例による合成樹脂製容器本体の底部形状を示す説明図であり、（ａ）はペタロイド状（花弁状）を示す断面図であり、（ｂ）は上底形状を示す断面図であり、（ｃ）はベースカップ付き丸底形状を示す一部断面図であり、図４は本発明に係る合成樹脂製容器の底部側面を拡大した一部断面図である。
【００１９】
図１（ａ）は本発明の一実施例による合成樹脂製容器１００を示す一部断面図である。
１０はプラスチックで形成された有底円筒状容器（以下「ボトル」ともいう。）本体であり、口部１と前記口部１の下端に設けられたサポートリング５と前記サポートリング５に続く肩部２と胴部３及び底部４とを備えている。
２０は容器本体１０の口部２をねじ締め部６で螺着し、外部からの光線を遮断するために用いられる遮光性を有するキャップである。
３０は容器本体１０の底部４壁面を外側から覆う遮光性を有する略円板状の被覆部材である。
４０は容器本体１０の口部１下端から被覆部材３０の一部が重なり合う位置まで連続して表面を被覆する筒状に形成された遮光性を有するシュリンクラベルである。
図１（ａ）に示すように、本発明に係る合成樹脂製容器１００は、合成樹脂製容器本体１０と、前記容器本体１０の口部１に装着されるキャップ２０と、前記容器本体１０の底部４を覆う被覆部材３０と、前記被覆部材３０を保持した状態で容器本体全体を被覆するシュリンクラベルとから構成されるものである。
このことによって、前記の合成樹脂製容器１００全体の光透過率が、波長２２０〜４００ｎｍの紫外線と、波長４００〜６００ｎｍの可視光線の領域にわたって、１０％以下である遮光性を有することができるものである。
図１（ｂ）に示すように、本発明に係る合成樹脂製容器１００は、前記の容器本体１０の底部４壁面を外側から覆うことによって、底部を外部の光線から遮断することができる。
【００２０】
図２は図１の一実施例による合成樹脂製容器の口部を示す断面図である。
図２に示すように、本発明に係る前記容器本体の口部に装着されるキャップ本体２０は、円板状の頂板２１と、その周縁から垂下したキャップ側壁部２２とを有する。
更に、前記のキャップ本体２０は、容器が未開封のものであるか開封後のものであるかを確認するための機能を有するピルファープルーフキャップであることが好ましく、ピルファ−プル−フ性機能を発揮させる機構としては、具体的に、例えば、前記のキャップ側壁部２１にブリッジを介して連結された環状ピルファープルーフ裾壁２３と、前記のピルファープルーフ裾壁２３の内周壁面に、内方に延びる複数の可撓性を有するフラップ２４が形成されて構成されている。
また、前記容器本体の口部１には、前記のキャップと螺子締めするための螺子部７を有するもので、更に、前記の螺子部の下方に、前記のピルファープルーフ裾壁２３を係止するための膨出部を備えている。
本発明に係る合成樹脂製容器１００は、前記のキャップ本体２０を容器本体１０に装着した状態で、口部下端Ｘ、即ち、ピルファープルーフ裾壁２３の上端部から遮光性を有するシュリンクラベル４０で表面を被覆することにより、キャップを開栓後、再び閉栓して使用する場合でも、口部から外部の光線を完全に遮断できるという利点を有する。
【００２１】
図３は、本発明の一実施例による合成樹脂製容器本体の底部形状を示す説明図であり、（ａ）はペタロイド状（花弁状）を示す断面図であり、（ｂ）は上底形状を示す断面図であり、（ｃ）はベースカップ付き丸底形状を示す一部断面図である。
図３に示すように、本発明に係る合成樹脂製容器本体の底部は、複数の突起状の脚部を有する「ペタロイド状４Ａ」、環状の脚部の内側に底部がいわゆる上げ底状になっている「上底形状４Ｂ」、または丸底形状４Ｃの底部に脚部５１を有するベースカップ５０を装着させた「ベースカップ付き丸底」等により容器本体に自立安定性を持たせている。
【００２２】
なお、容器本体１０を形成する樹脂としては、ポリエステル樹脂を使用することが、軽量で、機械的強度、耐熱性、ガス遮断性、耐薬品性、保香性、衛生性等に優れるため好ましい。容器本体１０は、ポリエステル樹脂を射出成形、真空成形、圧空成形等することにより製造することができる。
上記のポリエステル樹脂としては、具体的に、飽和ジカルボン酸と飽和二価アルコールとからなる熱可塑性樹脂が使用できる。飽和ジカルボン酸としては、テレフタル酸、イソフタル酸、フタル酸、ナフタレン−１，４−又は２，６−ジカルボン酸、ジフェニルエーテル−４，４´−ジカルボン酸、ジフェニルジカルボン酸類、ジフェノキシエタンジエタンジカルボン酸類等の芳香族ジカルボン酸類、アジピン酸、セバチン酸、アゼライン酸、デカン−１．１０−ジカルボン酸等の脂肪族ジカルボン酸、シクロヘキサンジカルボン酸等の脂環族ジカルボン酸等を使用することができる。また飽和二価アルコールとしては、エチレングリコール、プロピレングリコール、トリメチレングリコール、テトラメチレングリコール、ジエチレングリコール、ポリエチレングリコール、ポリプロピレングリコール、ポリテトラメチレングリコール、ヘキサメチレングリコール、ドデカメチレングリコール、ネオペンチルグリコール等の脂肪族グリコール類、シクロヘキサンジメタノール等の脂環族グリコール、２，２−ビス（４´−β−ヒドロキシエトキシフェニル）プロパン、その他の芳香族ジオール類等を使用することができる。好ましいポリエステルは、テレフタル酸とエチレングリコールとからなるポリエチレンテレフタレートである。
【００２３】
上記のポリエステル樹脂は、固有粘度が０．５〜１．５の範囲のものを使用でき、０．５５〜０．８５の範囲のものを使用することが好ましい。また、このようなポリエステルは、溶融重合で製造され、１８０〜２５０℃の温度下で減圧処理または不活性ガス雰囲気で熱処理されたもの、または固相重合して低分子量重合物であるオリゴマーやアセトアルデヒドの含有量を低減させたものが好ましい。
【００２４】
更に、本発明において、前記の合成樹脂製容器本体１０の樹脂中には、紫外光を吸収する光吸収剤を含有することが好ましい。
上記の紫外線吸収剤としては、例えば、２，２−ヒドロキシ−５−メチルフェニルベンゾトリアゾール、２，２−ヒドロキシ−３−ｔ−ブチル−５−メチルフェニル−５−クロロベンゾトリアゾール、２，２−ヒドロキシ−３′,５′−ジ−ｔ−ブチルフェニル−５−クロロベンゾトリアゾール等のベンゾトリアゾール系紫外線吸収剤、２−ヒドロキシ−４−メチルベンゾフェノン等のベンゾフェノン系紫外線吸収剤、２，４−ジ−ｔ−ブチルフェニル−３，５−ジ−ブチル−４−ヒドロキシベンゾエート等のヒドロキシベンゾエート系紫外線吸収剤、さらには、酸化チタン等の無機微粒子が例示できる。なお、これらの紫外線吸収剤は単独で用いてもよいし、２種以上組み合わせてもよい。中でも、ベンゾトリアゾール系紫外線吸収剤が好ましい。これらの紫外線吸収剤の添加量としては、０．０１〜０．２重量％の範囲で好適に使用でき、０．１重量％程度が好ましいものである。
上記の範囲とすることにより変色（褐色透明色）することなく、機械的強度を低下させることなく、波長２２０〜４００ｎｍの紫外線領域における光線の吸収性を向上させることができる。
【００２５】
更に、容器本体１０を形成する樹脂中に、本発明の目的を損なわない範囲で滑剤、安定剤、酸化防止剤、熱劣化防止剤、帯電防止剤、抗菌剤等の添加剤やその他の樹脂を適量加えることができる。
【００２６】
次に、本発明において、合成樹脂製容器本体１０の製造方法について以下に説明すると、例えば、図５に示すような射出成形型７０を用いて、ポリエステル樹脂等の熱可塑性樹脂を射出成形することによって、予備成形体（パリソン７６）を製造し、そのパリソン７６を二軸延伸ブロー成形することによって製造することができる。
【００２７】
本発明において、口部に装着されるキャップ本体２０は、耐熱性、耐圧性、耐水性、遮光性を有することが必要である。
前記のキャップ本体２０は、具体的には、例えば、ポリエチレン系樹脂、ポリプロピレン系樹脂、ポリスチレン系樹脂、ポリカ−ボネ−ト系樹脂、ポリエステル系樹脂、ポリアミド系樹脂、アクリロニトリル−スチレン共重合体（ＡＳ樹脂）、アクリロニトリル−スチレン−ブタジエン共重合体（ＡＢＳ樹脂）、ポリアセタ−ル系樹脂、その他等の耐熱性等に富む樹脂を使用し、射出成形法等を利用して製造することができる。
【００２８】
更に、当該キャップは、遮光性の機能を付与するために、黒、灰色、白等からなる不透明体のものを使用することが好ましい。
遮光性キャップは、上記の樹脂に光反射性顔料や、光吸収性顔料を単独でまたは混合して添加して製造することができる。
前記の光反射性顔料は、具体的に、チタンホワイト、アルミニウム粉、マイカ粉、硫化亜鉛、亜鉛華等の白色顔料が好ましく、中でもルチル型のチタンホワイトを用いるのが好ましい。また、その添加量としては、上記樹脂１００重量部に対して、２〜５重量部程度が、充分な光の散乱効果が得られるので好ましい。
前記の光吸収性顔料としては、カーボンブラック、セラミックブラック、ボーンブラック等の有色顔料が好ましく、中でも黒色顔料であるカーボンブラックを用いるのが
好ましい。また、その添加量は、上記樹脂１００重量部に対して、光吸収性顔料を０．０００５〜０．０１５重量部添加することが、充分な光吸収効果が得られるので好ましい。
【００２９】
さらに、キャップを構成する樹脂中に、本発明の目的を損なわない範囲で滑剤、安定剤、酸化防止剤、熱劣化防止剤、紫外線劣化防止剤、帯電防止剤、抗菌剤等の添加剤やその他の樹脂を適量加えることができる。
【００３０】
図４は、本発明に係る合成樹脂製容器の底部側面を拡大した一部断面図である。
図４に示すように、本発明に係る合成樹脂製容器１０の底部には、前記の被覆部材３０と接する壁面部に、前記の被覆部材３０を嵌め込むための凹部９が形成されていることが好ましい。
このことによって、前記の被覆部材３０が、脱落することなく、位置ずれを防止することが可能であり、容器の底部の凹部９に密着した状態で嵌合され、しかる後、前記のシュリンクラベル４０で被覆することで保持されるという利点を有する。
凹部９の深さとしては、被覆部材３０の厚み以下であれば、容器本体の底部を外部の光線から完全に遮断できるので好ましく、具体的に０．１ｍｍ〜１ｍｍ程度が生産性の点から好ましく、０．４ｍｍ〜０．５ｍｍ程度がより好ましい。
【００３１】
また、図４に示すように、前記の被覆部材３０は、単体プラスチック板または積層プラスチック板または合成紙を含む積層プラスチック板からなり、容器本体１０の底部と略同形状に型抜き等でカットして得られる。
なお、前記の合成紙は、多数の微細空孔を有する延伸樹脂フィルムよりなるものであり、例えば、具体的に、ユポ、サンポピエ（いずれも商品名）等が挙げられ、空孔率が１０〜５０％、密度が０．６００〜１．２０ｇ／ｃｍ3 、白色度が８０〜１００％のものを用いることがより好ましい。
前記の合成紙を使用することによって、基材自体に光隠蔽性があるため、紫外線や可視光線等を遮断する機能を向上できるという利点を有する。
前記の被覆部材３０は、少なくとも、光反射性の白色からなる外表面３０Ａと光吸収性の黒色からなる裏面３０Ｂ（容器本体側）とを有することが好ましいものである。
光反射性と光吸収性を有する層との積層体からなる平板であることにより、外部からの光線の透過を光反射性の外表面３０Ａで防止可能であり、更に、日光による発熱による容器内の温度上昇を防止可能であり、また、外表面３０Ａから洩れた光線を裏面３０Ｂで吸収可能であるため、光反射性面３０Ａと光吸収性面３０Ｂの内、いずれかのみからなる平板の場合と比べて優れた遮光性が得られるという利点を有する。
前記の被覆部材３０の厚みは、機械的強度、合成樹脂製容器に嵌合するためのハンドリングの面から、０．２ｍｍ〜１ｍｍ程度が好ましく 、０．５ｍｍ〜０．７ｍｍ程度がより好ましく用いられる。
【００３２】
被覆部材３０を構成する外表面３０Ａの層は、光反射能を有し、外観上白色であれば特に限定されないが、例えば、入射光を散乱させる結晶性のポリオレフィン樹脂等を使用することが、リサイクルの面やコスト面からも好ましく、具体的に、低密度、中密度、高密度のホモポリエチレン樹脂、エチレン・αオレフィン共重合体樹脂、ホモポリプロピレン樹脂、プロピレン・αオレフィン共重合体樹脂、結晶性エチレン・プロピレン共重合体等を使用することができる。上記の樹脂に高密度ポリエチレン樹脂や中密度ポリエチレン樹脂等のポリエチレン樹脂を含有させて使用することにより、製膜等の加工が容易となり、被覆部材の機械物性の点からも好ましい。
その他、被覆部材３０を構成する外表面側の層３０Ａは、白色顔料を混練して製膜した合成樹脂シ−ト層を使用してもよい。
上記の白色顔料としてはアルミナ、チタニア（チタン白）、マイカ、酸化鉛（鉛白）、酸化亜鉛（亜鉛華）、炭酸カルシウム、炭酸バリウム、硫酸バリウム、チタン酸カリウム、珪酸ソーダ、クレイ、タルク等を使用することができる。
支持体としての樹脂は、ポリエチレン樹脂、エチレン・αオレフィン共重合体樹脂、ポリプロピレン樹脂、プロピレン・αオレフィン共重合体樹脂、ポリブテン−１樹脂、ポリオレフィンエラストマー等のポリオレフィン樹脂、ポリエステル系樹脂、ウレタン系樹脂等を使用することができる。
上記の白色顔料の添加量は、上記支持体としての樹脂１００重量部に対して、２重量部〜５重量部程度が光散乱性、白色度の点から好ましい。
【００３３】
また、被覆部材３０を構成する裏面層３０Ｂ（容器本体側）は、光吸収性能を有すればよく、具体的に、カーボンブラック等の黒色顔料を混練して製膜した合成樹脂フィルムを使用することができる。
前記の黒色顔料としては、カーボンブラックの他、黒鉛、アニリンラック、シアニンブラック、アセチレンブラック等の黒色顔料を使用できる。
支持体としての樹脂は、前記の白色顔料の支持体としての樹脂を使用することができ、白色顔料の支持体と同じ材質からなる樹脂を使用することが、共押出しして製膜する場合、層間密着性に優れるので好ましい。
上記の黒色顔料の添加量は、上記支持体としての樹脂１００重量部に対して、０．００９重量部〜０．０１２重量部程度が、外表面側の層２０Ａの白色度が低下することなく、必要な光吸収能を有するので好ましい。
【００３４】
また、被覆部材３０を構成する裏面層３０Ｂ（容器本体側）としては、遮光性インキを使用することができ、具体的には、上記のカーボンブラック等の黒色顔料をバインダー樹脂に混練して調整した墨インキ組成物を使用することができる。
当該遮光性インキ樹脂組成物層の厚みは、各々１μｍ〜８μｍ位が好ましい。
そして、上記遮光性インキの形成方法としては、グラビア印刷、フレキソ印刷、オフセット印刷等の印刷技術を用いることができ、通常、グラビア印刷を使用することができる。
【００３５】
また、外表面３０Ａおよび裏面３０Ｂの構成素材には、紫外線吸収剤等を添加しておくのが波長４００ｎｍ以下の紫外線を効果的に遮断することができるのでより好ましい。
【００３６】
次に本発明において、上記の外表面側の層３０Ａおよび裏面層３０Ｂを積層させる方法として、例えば、ウエットラミネ−ション法、ドライラミネ−ション法、無溶剤ラミネ−ション法、押し出しラミネ−ション法、共押し出しラミネ−ション法、インフレ−ション法、その他の方法等で行うことができる。
具体的には、本発明においては、ラミネ−ト用接着剤層等を介して積層するドライラミネ−ト積層方式、あるいは、アンカ−コ−ト剤層、溶融押出樹脂層等を介して積層する溶融押出積層方式等を用いて被覆部材３０を製造することができ、中でも、共押出ダイから共押出して溶融押出積層することが生産性に優れるので好ましい。
【００３７】
本発明にかかるシュリンクラベル４０は、容器本体１０の表面を被覆するために使用できる遮光性を有するシュリンクラベルであることが必要である。
シュリンクラベルに付与する遮光性としては、波長２２０〜４００ｎｍの紫外線と、波長４００〜６００ｎｍの可視光線の領域にわたって１０％以下であることが必要である。
遮光性の機能を付加したシュリンクラベルは、具体的に、黒色系、褐色系、または橙系の有色顔料や染料で着色したシュリンクラベル、アルミニウムに代表される金属の薄膜層を形成したシュリンクラベル、シュリンクフィルムの全面にベタ刷りの白色インキ層とアルミペーストを含有する白色インキを重ね刷りしたシュリンクラベル、シュリンクフィルムの全面にベタ刷りの白色インキ層と金色インキを重ね刷りしたシュリンクラベル、シュリンクフィルムの全面にベタ刷りの白色インキ層と黒色インキを重ね刷りしたシュリンクラベル等を使用することができる。
中でも、シュリンクフィルムの全面にベタ刷りの白色インキ層とアルミペーストを含有する白色インキを重ね刷りしたシュリンクラベルを使用することが、遮光性以外に外観の色が黒ずんで見えず、白色隠蔽性に優れ、意匠性の点からも好ましい。
【００３８】
遮光性を有するシュリンクラベル４０は、シュリンクラベルを構成する基材フィルム光を通しにくい顔料や染料等を添加剤として加えて遮光能を付与するシュリンクラベルを製造することができる。また、隠蔽力の高い顔料を加えた層を前記の層の外側に積層してカーボンブラック等の黒色が外側に露出しないようにすることができる。
【００３９】
本発明において、遮光性シュリンクラベルを構成する遮光層には、遮光性インキで印刷層を形成したシュリンクラベルを使用することができる。
上記の遮光性インキとしては、顔料としてアルミペーストを含有するものを使用することが、可視光線および紫外線領域での遮光性に優れ、かつ、白色隠蔽性に優れるので好ましい。上記のアルミペーストの含有量としては、白色インキ全体の１０重量％以下であることが必要な遮光性を付与するために好ましく、１重量％〜５重量％であることがより好ましい。
また、上記のアルミペーストを含有する白色インキを更に白色隠蔽性を向上させるために使用する白色インキは、コンクタイプの白インキを使用することが好ましく、耐熱性を有するグラビアインキであることがより好ましい。
また、上記のインキ層の厚みは、各々１μｍ〜８μｍ位が好ましい。
そして、上記インキの形成方法としては、グラビア印刷、フレキソ印刷、オフセット印刷等の印刷技術を用いることができ、通常、グラビア印刷を使用することができる。
なお、本発明において、上記のインキを形成する場合、通常、シュリンクフィルムで筒状体を製造するため、シュリンクフィルムの両端部に設けない方が好ましい。
【００４０】
本発明において、遮光性シュリンクラベルを構成する遮光層として、基材であるシュリンクフィルムの上に金属の薄膜層を形成することができる。
そして、その金属としては、具体的に、例えば、アルミニウム（Ａｌ）、クロム（Ｃｒ）、銀（Ａｇ）、銅（Ｃｕ）、スズ（Ｓｎ）等の金属を使用することができ、中でもアルミニウム（Ａｌ）を使用することが好ましい。金属の薄膜層としては、金属の薄膜の１層だけではなく、２層あるいはそれ以上を積層した積層体の状態でもよく、また、使用する金属としては、１種または２種以上の混合物で使用し、異種の材質で混合した金属の薄膜を構成することもできる。本発明においては、上記の金属の薄膜層の厚みとしては、使用する金属によって異なるが、５０〜１０００Å位が好ましく、１００〜１０００Å位の厚さに形成したものがより好ましい。
次に、金属の薄膜層を形成する方法について説明すると、基材であるシュリンクフィルムの上に、金属の薄膜層を形成する方法としては、例えば、真空蒸着法、スパッタリング法、イオンプレ−ティング法等の物理気相成長法（Ｐｈｙｓｉｃａｌ  Ｖａｐｏｒ  Ｄｅｐｏｓｉｔｉｏｎ法、ＰＶＤ法）、あるいは、プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法、ＣＶＤ法）等を挙げることができる。本発明においては、主に、真空蒸着法を用い、一部、プラズマ化学気相成長法も用いることができる。
【００４１】
本発明において、遮光性を有するシュリンクラベルを構成するシュリンクフィルムは、印刷適性を有すれば限定されず、例えば、熱収縮性のポリエチレンテレフタレートフィルム、ポリスチレンフィルム、ポリプロピレンフィルム、低密度ポリエチレンフィルム、中密度ポリエチレンフィルム、高密度ポリエチレンフィルム、低密度直鎖状ポリエチレンフィルム、環状ポリオレフィンフィルム、エチレン−プロピレン共重合体、エチレン−酢酸ビニル共重合体、アイオノマー樹脂、エチレン−アクリル酸共重合体、エチレン−アクリル酸メチル共重合体等の樹脂から製膜されたポリオレフィン系フィルム、塩素化ポリエチレン，塩素化ポリプロピレンなどの樹脂から製膜された変性ポリオレフィンフィルム、塩化ビニル−酢酸ビニル共重合体の樹脂から製膜されたフィルム、アクリル系樹脂系フィルム等が使用できる。
また、前記のシュリンクフィルムとしては、１軸方向、あるいは、２軸方向に延伸した延伸フィルムのいずれのものでも使用することができる。そして、例えばテンター方式等を用いて前記のシュリンクフィルムの流れに対して直角方向に１軸延伸して、その直角方向（流れ方向）の熱収縮率が、７０〜９０℃の温水において１０秒間で最大４０％となるように調整して製造したシュリンクフィルムを使用できる。ここで、熱収縮率とは、（加熱前の寸法−加熱後の寸法）／（加熱前の寸法）×１００という意味を持つ値である。
なお、シュリンクフィルムの厚みは、特に限定されないが、耐熱性、剛性、機械適性、外観等を損なわない範囲で適宜選択され、５μｍ〜９０μｍ程度が好ましく、１０μｍ〜７０μｍ位がより好ましい。
【００４２】
更に、上記のシュリンクフィルムには、必要に応じて、滑剤、充填剤、熱安定剤、酸化防止剤、紫外線吸収剤、帯電防止剤、難燃剤、着色剤等の各種添加剤を添加してもよい。
また、シュリンクフィルムの表面には、印刷性を向上させるため、コロナ放電処理、プラズマ処理、火炎処理、酸処理などの慣用の表面処理を施してもよい。
【００４３】
以上のように製造された遮光性シュリンクラベル４０は、その両端部を重ね合わせ、しかる後、その端部の重ね合わせた部分を、熱融着、あるいは、接着剤を介して貼り合わせるか、あるいは溶剤シールによりシ−ル部を形成して、筒状体からなるシュリンクラベルを形成することができる。なお、遮光性シュリンクラベル４０は、チューブ状のものを用いてもよい。
なお、筒状体からなる遮光性シュリンクラベル４０には、縦方向に１本若しくは複数のミシン目を形成することができる。当該ミシン目の形成方法としては、例えば、周囲に切断部と非切断部とが繰り返し形成された円板状の刃物を押し当てる方法等により施すことができる。また、当該ミシン目はシュリンクフィルム断裁工程、筒貼り工程、シュリンクラベル断裁工程のうち、適宜の段階で施すことができる。
【００４４】
上記で製造した遮光性シュリンクラベル４０の筒状体を使用して、合成樹脂製容器本体１０を被覆する製造方法を具体的に説明する。
例えば、前記の筒状体の遮光性シュリンクラベル４０を自動ラベル装着装置に供給し、必要な長さに切断した後、底部４の凹部９に被覆部材３０を嵌合すると共に、口部１から内容物を充填後に遮光性キャップ２０で螺着した容器本体１０の外表面に嵌着し、次いで、前記の容器本体１０を、図示しないが、シュリンクトンネル等に通して、所定温度（例えば、８０〜２００℃程度）の熱風や、水蒸気及び水蒸気が結露した湯気により加熱するスチームや、赤外線等の輻射熱を作用させて遮光性シュリンクラベル４０を周方向に高収縮させて、容器本体１０の口部下端Ｘから当該被覆部材３０の一部が重なり合う位置Ｙまで遮光性シュリンクラベル４０で被覆する。
即ち、本発明に係る合成樹脂製容器１００は、容器全体に遮光性を付与する合成樹脂製容器を製造することができるものである。
【００４５】
液体内容物としては、ジュース、コーラ、水、お茶、乳酸菌飲料、ヨーグルト等の飲料、ウイスキー、ブランデー、ラム酒、赤ワイン、各種カクテル等の酒精飲料、醤油、各種ソース、天つゆ、各種たれ、だし汁、ドレッシング、マヨネーズ等の液体調味料、油脂、ローション、乳液、化粧水等の化粧品、シャンプー、リンス等のトイレタリー製品、液体医薬品；液体化学薬品等が挙げられる。
【００４６】
本発明において、図１に示すように、上記のようにして製造した合成樹脂製容器１００は、上記に例示する内容物を充填して密封した包装製品を製造することによって、プラスチック製ボトル自体を着色せず、異樹脂を混入せずにボトル成形しても、容器全体に可視光線、紫外光線光線を遮断する機能を有し、変色せず、内容物の保存性に優れると共に、再生樹脂の用途が広範となり、容器回収の際、容器本体とシュリリンクラベル等を分離可能である等、リサイクル性に優れるものである。
【実施例】
【００４７】
本発明を以下の具体的実施例により、さらに詳細に説明する。
（ボトル本体１０の製造）
熱可塑性樹脂として、ポリエチレンテレフタレート樹脂（遠東紡（株）製  Ｓｈｉｎｐｅｔ５０１５Ｗ）を使用して、射出成形により予備成形体を成形した。
次いで、この予備成形体を二軸延伸ブロー成形することによって、約０．３５ｍｍのほぼ均一な肉厚を有し、容量５００ｍｌの無色透明のＰＥＴボトル本体１０を製造した。
このボトル１０は、図１に示すように、口部１と前記口部１の下端に設けられたサポートリング５と前記サポートリング５に続く肩部２と胴部３及び上底形状の底部４とを備えている。
なお、ボトル本体の底部に形成する凹部９の深さは、０．６ｍｍとなるように成形した。
【００４８】
（遮光性キャップ２０の製造）
ポリプロピレン樹脂にカーボンブラックをマスターバッチ方式により添加して射出成形した黒色の遮光性キャップ（日本クラウンコルク製  品名；ＮＣフラップ）を準備した。
この遮光性キャップ２０は、図２に示すように、キャップ側壁部２１にブリッジを介して連結された環状ピルファープルーフ裾壁２３と、前記のピルファープルーフ裾壁２３の内周壁面に、内方に延びる複数の可撓性を有するフラップ２４が形成されて構成されている。
【００４９】
（被覆部材３０の製造）
ホモポリプロピレン樹脂（三井化学製  品名；Ｅ１１１Ｇ）を製膜して、厚さが約０．７ｍｍの光反射性の白色不透明シートを製造し、この白色不透明シートの裏面に墨インキ組成物を用いて黒ベタのグラビア印刷を施し、光吸収性の墨インキ樹脂組成物層（厚さ５μｍ）を形成し、上記のボトル本体１０の底部と略同径状に打ち抜いた。
【００５０】
（遮光性シュリンクラベル４０の製造）
シュリンクフィルムとしては、厚さ６０μｍのポリエチレンテレフタレートフィルム（三菱樹脂製  品名；ヒシペット）を準備した。
次に、前記のシュリンクフィルムの上にＮＴ−ハイラミック藍（大日精化株式会社製）を用いて、グラビア印刷法により絵柄印刷した。しかる後、当該絵柄印刷面に、更に、ＮＴ−ハイラミックコンク白（大日精化株式会社製）を用いて、全面ベタ刷りの２度重ね刷りでグラビア印刷を施し、更にその上にアルミペーストを１重量％含有する白色インキ（大日精化株式会社製、ＮＴ−ハイラミックコンク白）を用いて、全面ベタ刷りのグラビア印刷を施した。
その結果、層構成、ポリエチレンテレフタレートフィルム（６０μｍ）／絵柄印刷層／白色インキ組成物層／アルミペースト含有白色インキ組成物層からなる遮光性シュリンクフィルムを得た。
しかる後、上記のようにして得られた遮光性シュリンクフィルムを、所望の大きさのラベル用シートに断裁後、内側が遮光性インキ樹脂層となるようにして両端部を重ね合わせ、当該重ね合わせ部を熱接着させて筒状体とした。
【００５１】
（合成樹脂製容器１００の作製）
次に、上記で得られた筒状の遮光性シュリンクラベル４０を自動ラベル装着装置に供給し、必要な長さに切断した。しかる後、上記で得られたＰＥＴボトルの上底４の凹部９に上記の被覆部材３０の黒色印刷面側が重なるようにして嵌合すると共に、内容物（乳飲料）を充填し、上記で得られた遮光性キャップ２０を螺着して密栓した状態で、このＰＥＴボトルの外表面に上記の筒状の遮光性シュリンクラベル４０嵌着し、スチームヒータで９０℃、１０秒間加熱したシュリンクトンネルに通した。その結果、遮光性シュリンクラベル４０をＰＥＴボトル１０の口部下端Ｘから前記の被覆部材３０の一部が重なり合う位置Ｙまで遮光性シュリンクラベル４０で被覆された。
この結果、ＰＥＴボトル本体１０を着色することなく、また、異樹脂を混入せずに成形しても、合成樹脂製容器１００全体として、可視光線、紫外光線光線を遮断する機能を有し、内容物が変色せず、内容物の保存性に優れると共に、再生樹脂の用途が広範となるのでリサイクル性に優れるものであった。
【００５２】
（遮光性の評価結果）
上記で得られた合成樹脂製容器１００の口部、肩部、胴部、底部の各パーツについて、光透過率を分光光度計で測定した。しかる後、「各パーツ毎の光透過率の測定値」に「全表面積に対する各パーツ毎の表面積の比率」を乗じて、「容器全体の光透過率」を求めた。即ち、（容器全体の光透過率）＝（口部の光透過率）×（口部の表面積／全容器の表面積）＋（肩部の光透過率）×（肩部の表面積／全容器の表面積）
＋（胴部の光透過率）×（胴部の表面積／全容器の表面積）
＋（底部の光透過率）×（底部の表面積／全容器の表面積）
となる。
その結果、波長２２０〜４００ｎｍの紫外線領域の光透過率が１％以下であり、波長４００〜６００ｎｍの可視光線の領域の光透過率が８％以下であり、優れた遮光性を有することが確認された。
【図面の簡単な説明】
【００５３】
【図１】（ａ）は本発明の一実施例による合成樹脂製容器を示す一部断面図、（ｂ）は底面図である。
【図２】図１の合成樹脂製容器の口部を示す断面図である。
【図３】本発明の一実施例による合成樹脂製容器本体の底部形状を示す説明図であり、（ａ）はペタロイド状（花弁状）を示す断面図であり、（ｂ）は上底形状を示す断面図であり、（ｃ）はベースカップ付き丸底形状を示す一部断面図である。
【図４】本発明に係る合成樹脂製容器の底部側面を拡大した一部断面図である。
【図５】予備成形体を製造するのに使用する金型の一例を示す断面図である。
【符号の説明】
【００５４】
１      口部
２      肩部
３      胴部
４      底部
４Ａ    ペタロイド状
４Ｂ    上底形状
４Ｃ    丸底形状
５      サポートリング
６      螺子締め部
７      螺子部
８      ロッキングリング
９      凹部
１０    合成樹脂容器本体（ボトル）
２０    遮光性キャップ
２１    頂部
２２    キャップ側壁部
２３    ピルファープルーフ裾壁
２４    フラップ
３０    被覆部材
３０Ａ  光反射性面
３０Ｂ  光吸収性面
４０    遮光性シュリンクラベル
５０    ベースカップ
５１    脚部
７０    射出成形型
７１    口部型
７２    インジェクションキャビティ型
７３    インジェクションコア型
７６    パリソン
１００  本発明に係る合成樹脂製容器
【図１】
2006082851.tif 000003
【図２】
2006082851.tif 000004
【図３】
2006082851.tif 000005
【図４】
2006082851.tif 000006
【図５】
2006082851.tif 000007